(57)【特許請求の範囲】
【請求項１】
複数の有底収納室(6)をリング状に配列して、内側に上下に開放した中央空所(15)を形成し、前記各収納室(6)毎に設けた開閉用の蓋体(9)とからなる、合成樹脂製容器本体(1)と、  内部に制御記録部(38)を、また上面に前記各収納室(6)毎に設けた蓋体(9)の開閉を感知するセンサー(40)を設置したコントロール体(31)からなり、該コントロール体(31)を容器本体(1)の中央空所(15)に組み込み、前記センサー(40)が各蓋体(9)別に一対一に対応して、開閉を感知し、その開閉の記録を各収納室(6)別に、時系列に制御記録部(38)に記録し、該記録の読み出しができるように、構成してなる薬用集合容器。
【請求項２】
コントロール体(31)の上面に表示部(42)を設置した、請求項１の薬用集合容器。
【請求項３】
コントロール体(31)に、警報器(44)を設置した、請求項１または２の薬用集合容器。
【請求項４】
制御記録部(38)に脱着可能なメモリーチップ(48)を設置した、請求項１，２または３の薬用集合容器
【請求項５】
コントロール体(31)に、制御記録部(38)に記録したデーターを、外部へ通信するための通信用インターフェース(45)を設置した、請求項１，２，３または４の薬用集合容器。
【発明の詳細な説明】
【０００１】
【発明の属する分野】
服用する薬を小分けして保管すること、服用状態を記録することができること、および服用履行のための注意を促す警報を発生することができる機能を有した薬用集合容器に関わる。
【０００２】
【従来の技術】
薬を小分けして保管する容器については、実開平６−２６８７９等が示すように、薬を小分けして入れるための小室を複数備えたものが知られている。こうした薬入れは薬を常時服用するもの、特に一度に何種類もの薬を服用するものにとっては、重宝である。また一方で、医療の現場では、多くの場合、患者が決められたとおり、定期的に、忘れずに服用していることを前提として、薬の服用の効果を見ながらその量を変えたり、種類を変えたりしながら、治療を進めている。
【０００３】
【発明が解決しようとする課題】
しかしながら容器を用いて薬を小分けして保管していても、薬を定期的に服用することを忘れないようにすることは困難であり、特に在宅で治療を受けている場合、次の通院までの長期間、定期的な服用を履行させたり、服用状態の記録等を保存することは難しく、医療を進めるにあたっての大きな問題となっている。
【０００４】
このような問題に対して本発明は、定期的な薬の服用の記録を取れるようにした機能を有した薬用集合容器を提供するものである。
【０００５】
【課題を解決するための手段】
上記技術的課題を解決する本発明の手段のうち、請求項１は、複数の有底収納室をリング状に配列して、内側に上下に開放した中央空所を形成し、前記各収納室毎に設けた開閉用の蓋体とからなる、合成樹脂製容器本体と、  内部に制御記録部を、また上面に前記各収納室毎に設けた蓋体の開閉を感知するセンサーを設置したコントロール体からなり、該コントロール体を容器本体の中央空所に組み込み、前記センサーが各蓋体別に一対一に対応して、開閉を感知し、その開閉の記録を各収納室別に、時系列に制御記録部に記録し、該記録の読み出しができるようにように構成することを手段としている。
【０００６】
請求項１の上記構成により、予め薬を収納した、複数の収納室の一つから薬を取り出すために、収納室毎に設置された蓋体を開くと、蓋体毎に一対一に対応して設置したセンサーが感知して、薬の服用履歴を各収納室別に時系列に制御記録部に記録して、長期間にわたる薬の服用に関する詳細なデーターを保存して利用することが可能になる。
【０００７】
請求項２は、請求項１のコントロール体の上面に表示部を設置した構成であり、現在の日付、曜日、時刻、薬の識別記号、標準服用時間、服用履歴等の情報を服用者が確認することが可能になる。また服用を忘れたときに服用を促すメッセージを表示することも可能となる。
【０００８】
請求項３は請求項１，２のコントロール体に、警報器を設置した構成であり、各収納室毎に設置された蓋体が、予め設定された標準服用時間内に開閉しなかった場合に、警報を発生することができ、これにより確実に服用者に薬の服用を忘れていることを知らせることが可能になる。
【０００９】
請求項４は、請求項１，２，３の制御記録部に脱着可能なメモリーチップを設置した構成になっており、これにより薬の服用に関する記録データーの簡単な持ち運び、取り出しが可能になる。
【００１０】
請求項５は請求項１，２，３，４のコントロール体に、制御記録部に記録したデーターを、外部へ通信するための通信用インターフェースを設置した構成になっており、これにより、服用者がその都度、病院に行かなくても上記、記録データーを医療機関に送付することが可能になる。
【００１１】
【発明の実施の形態】
以下本発明の一実施形態で、１週間分の薬を曜日毎に収納室に収容して利用する実施形態を、図面を参照しながら説明する。
図１は本願発明の一実施例の分解斜視図あり、容器本体１、コントロール体３１および底蓋２７から構成されている。図２は平面図、図３には縦半断面図を示す。図4は図３で蓋体９を開けた時の図であり、図５は図３のセンサー４０部分を拡大した図である。
【００１２】
容器本体１は、短正七角筒状の外筒壁２と、内筒壁３とを同軸心状に配置し、両者の下端縁間をリング底壁４で塞ぎ、その有底リング筒状の内部を、複数（図示実施形態の場合、７個）の隔壁５により周方向に分割することにより、複数（図示実施形態の場合、７個）の有底の収納室６を、周方向に並列に配置して構成され、中心部すなわち内筒壁３内を中央空所１５としたドーナツ状になっている。
【００１３】
開閉用の蓋体９はその外筒壁２に位置した基端縁を、容器本体１の外筒壁２の外周面上端縁の各収納室に対応する位置に、ヒンジ１４を介して一体に連結されており、各収納室６の開口部を覆う板状の蓋板１０、該蓋板１０の下面先端部に、接触突片１１および、係止突片１２を突設し、上面先端部に、指掛け片１３を突設させた構成よりなっており、また蓋板１０の上面には各収納室６を識別するための曜日を示す識別記号を記した識別ラベル２５が貼付されている。
【００１４】
上記蓋体９は、該蓋体９と各収納室６との位置合せの必要がなく、また紛失することもないので、この実施形態のように、容器本体１と一体に連結されていることが好ましい。
【００１５】
本体容器１の内筒壁３の内周面、上端縁には、内鍔状の鍔片２２が付設してあり、該鍔片２２には各収納室６毎に対応する位置に、光を通過させるためのセンサー用開口部２０が設けられ、上記蓋体９を閉じたときに、接触突片１１がセンサー用開口部２０を塞ぐように構成されている。
【００１６】
上記鍔片２２の先端、各収納室６に対応する位置に、上向きに係止片７が突設され、上記蓋体９に突設された係止突片１２をひっかけて該蓋体９を閉じて、固定するように構成されている。
【００１７】
容器本体１の下面にはその内壁に、螺旋状の条溝を付設した、底部短円筒体２１が一体連結されている。
【００１８】
図６は、コントロール体３１の上面図を示す。コントロール体３１は、容器本体１の中央空所１５の内側に内接して組み込みができるよう、正七角柱の形状をしており、その上面には、表示部４２、入力ボタン４１、警報器４４、メモリーチップ挿入口４６および通信用インターフェースコネクター挿入口４７が概略中央部に、上記容器本体１の各収納室６毎に設けたセンサー用開口部２０の位置に合わせて、蓋体９の開閉を感知するため、７ヶのセンサー４０が周縁部にリング状に配置して設置されている。またその内部には、メモリーチップ４８、マイクロプチップ４９、通信用インターフェース４５および電源からなる制御記録部３８が組み込まれている。
【００１９】
図７にはコントロール体３１に構成される電気回路のブロック図を示した。センサー４０、表示部４２、入力ボタン４１、警報器４４と制御記録部３８を構成するメモリーチップ４８、通信用インターフェース４５、マイクロチップ４９が該マイクロチップ４９を中心にして接続され、構成されている。
【００２０】
センサー４０は反射型赤外線フォトセンサーからなっており、コントロール体３１を容器本体１の中央空所１５に組み込んだときに、図５に示されるように、容器本体１のセンサー用開口部２０に嵌り込み、蓋体９が閉じているときは蓋板１０に設けた接触突片１１の先端表面がこのセンサー用開口部２０を塞ぐように接触しているため、接触突片１１の先端表面に光が反射するが、蓋体９が開いたときには光が反射しないので、該蓋体９の開閉を感知することができる。センサーとして他の形式の光センサー、各種マイクロスイッチを使うことも可能である。
【００２１】
表示部４２は、現在の日付、曜日、時刻、服用標準時間帯、用途により、薬の服用履歴、薬の識別記号、服用を忘れたときのメッセージ等の情報を表示する機能を有している。消費電力の少なさ、多くの情報を表示する機能の必要性から液晶表示装置の使用が適している。
【００２２】
入力ボタン４１は現在の日付、曜日、時刻、服用標準時間帯、スタートの指示さらに用途により、薬の識別記号等の文字情報を入力できる機能を有する。
【００２３】
警報器４４としては、光、音、振動等を使った手段が考えられるが、本願発明の目的に対しては、確実に警報を伝える手段として警報音で知らせることが有効であり、音源素子を使用することにより、その目的を達成することができる。毎日決められた標準服用時間帯内に蓋体９が開かずセンサー４０が感知しなかった場合等に警報音を発生する。
【００２４】
脱着可能なメモリーチップ４８は各収納室６別に、一対一に対応した、センサー４０が感知した時の、年月日、時刻および薬の服用時間帯、薬の識別記号等を記録するものであり、具体的には、メモリーステック、スマートメデイア、コンパクトフラッシュ等を使うことができる。当該メモリーチップ４８のメモリー挿入口４６をコントロール体３１の上面に付設しておけば簡単に脱着することができる。脱着の必要のない用途では、マイクロチップ内にメモリーチップを組み込んで使用することもできる。
【００２５】
また用途によっては、上記したメモリーチップ４８に蓄積された薬の服用に関わるデーターを取り出し、通信手段を用いて医療機関へ送付するための、通信用インターフェース４５を装着することが好ましく、通信手段として、具体的にはパソコン経由でインターネットを使用するか、その簡便性から携帯電話と接続することもできる。通信用インターフェースコネクター挿入口４７を、コントロール体３１の上面に付設しておけば簡単に通信手段と接続することができる。
【００２６】
容器本体１とコントロール体３１はその使用形態を考えて、着脱が可能な構成にするのが有利である。使用時両者を固定、一体化するためには、アンダーカット部や、嵌合するための突片を付設すればよいが、図１に示した、底蓋２７を使って固定する方法が、その嵌合の操作が簡便で確実である。
【００２７】
底蓋２７は、円盤状の形状をしており、側部に螺旋状の突条が、付加されており、該容器本体１の下面に設置された、底部短円筒体２１の内壁面に捻じ込んで嵌合させるような構造となっており、下面には捻じ込み操作がやり易いように把手２８が付設されている。
【００２８】
センサーが一対一に各収納室６に対応しているので、容器本体１とコントロール体３１の相対的な位置を決めておく必要があり、そのため両者に目印２６が付設してある。目印２６のほかにキー溝等の嵌合構造を両者に付設することもできる。
【００２９】
上記目印２６を合せて、正七角柱状のコントロール体３１を容器本体１の中央空所１５に挿入して組み込み、その下から底部短円筒体２１に底蓋２７を捻じ込むことにより、コントロール体３１を容器本体１に固定して使用する。
【００３０】
以上のような構成での本願発明品の使用法および動作を説明する。医療機関、薬局で、処方した薬の１週間分を曜日毎に順番に容器本体１の、予め曜日の識別記号２５が貼付されている蓋体９に対応する各収納室６に入れ、たとえば１日３回の服用であれば、服用する３回の標準時間帯、薬の識別記号等を入力したメモリーチップ４８をメモリー挿入口から差し込んでセットし、本体１にコントロール体３１を組み込み、底蓋２７で固定、各収納室６毎に蓋体９が閉じていることを確認、入力ボタン４１にある、スタートスイッチを押して患者に渡す。
【００３１】
患者が服用時間になって、その日の曜日に相当する収納室６の蓋体９を開けて、薬を取り出せば、該収納室６に対応したセンサー４０が感知してメモリーチップ４８に収納室６別に開閉時の日時が記録される。また標準服用時間帯が過ぎても蓋体９が開かれない場合は、警報器４４の音源素子から警報音が発生して、服用者に知らせる。
【００３２】
患者は必要に応じてメモリーチップ４８に記憶された服用状況に関するデーターを表示部４２に表示させ確認することができる。
【００３３】
メモリーチップ４８のみを取り外して通院時等に医療機関に持っていくことにより、医者がその患者の長期の服用記録を的確かつ確実に把握することができ、服薬尊主の指導をしたり、その後の治療方法を決めることができる。
【００３４】
またメモリーチップ４８に蓄積された薬の服用に関わるデーターを取り出し、通信手段を用いて医療機関へ送付するための、通信用インターフェース４５が装着されているので、通信用インターフェースコネクター挿入口に携帯電話等、通信手段を接続して、当該データーを必要に応じて、医療機関に送付することができるので、病院に行かなくても、担当の医者等から、的確な指導、アドバイスを受けることができる。
【００３５】
本願発明の図示実施形態例の構成では、容器本体１とコントロール体３１が取り外せるので、たとえば３週間分の薬を３ケの容器本体１に収納して、当該容器本体１を入れ替えながら使用することにより長期間の使用が可能になる。
【００３６】
本願発明の実施形態の説明では、コントロール体３１の形状を正七角柱にして、容器本体１の中央空所に隙間なく、組み込むようにしているが、容器本体１は必要に応じて収納室６の数を設計することができるし、コントロール体３１を円柱状にして、嵌合するための突片等を付設して、容器本体１の決められた位置に嵌め込むようにすれば、容器本体１の収納室６の数、形状によらず１種類のコントロール体３１で対応することもできる。
【００３７】
また収納室６を薬別にして、各蓋体９に識別記号を貼付して利用することも可能であり、各薬品毎に薬の識別記号および服用時間帯のデーターを入力したメモリーチップ４８を使って、その時間がくれば表示部に今回服用すべき薬の識別記号が示されるように設定しておけば分かり易い。
【００３８】
なお、コントロール体31を、センサー40からの信号を読み出し可能に記録し、また薬の服用のための参考事項を表示するだけの構成とし、これにより患者による容器の取扱いができる限り簡単となるようにしても良い。
【００３９】
【発明の効果】
本発明は、上記した構成となっているので、以下の効果を奏する。
請求項１記載の発明により、多数の収納室を有した薬用容器と各収納室の蓋の開閉を感知するセンサーを該収納室毎に一対一に対応して設置したコントロール体を、組み合せることにより、薬の服用を収納室別に、時系列に記録することができ、長期間にわたっての定期的な服用の履行をさせるとともに、治療を進めるに当っての重要なデーターの記録保存、その利用が可能になった。
【００４０】
請求項２記載の発明により、薬の服用者が、表示部で、現在の日付、曜日、時刻、薬の識別記号、標準服用時間、服用履歴等の情報、また服用を忘れていることを知らせるメッセージを確認することができるようになり、長期にわたる、定期的な服用を促すことが可能になった。
【００４１】
請求項３記載の発明により、薬を飲み忘れたときに警報を発生することができ、服用者の薬の飲み忘れをより確実に防ぐことが可能になった。
【００４２】
請求項４記載の発明により、メモリーチップを取り外し、持ち運びでき、服用の履歴に関する記録データーの利用が簡単になり、医者がその患者の長期の服用記録を的確かつ確実に把握し、服薬尊主の指導をしたり、その後の治療方法を的確に決めることが可能になった。
【００４３】
請求項５記載の発明により、携帯電話等の通信手段で、薬の服用に関わるデーターを送受信することができるようになり、患者がその都度、病院に行かなくても服用の履行等の指示、指導をタイミングよく的確に受けることが可能になった。
【図面の簡単な説明】
【図１】本発明の一実施例を分解斜視図で示す。
【図２】本発明の一実施例の平面図である。
【図３】本発明の一実施例の縦半断面図である。
【図４】図３で、蓋体を開けた時の図である。
【図５】図３のセンサー部分を拡大した図である。
【図６】コントロール体の上面図である。
【図７】コントロール体の電気回路のブロック図である。
【符号の説明】
１  ；  容器本体
２  ；  外筒壁
３  ；  内筒壁
４  ；  リング底壁
５  ；  隔壁
６  ；  収納室
７  ；  係止片
９  ；  蓋体
１０；  蓋板
１１；  接触突片
１２；  係止突片
１３；  指掛け片
１４；  ヒンジ
１５；  中央空所
２０；  センサー用開口部
２１；  底部短円筒体
２２；  鍔片
２５；  識別ラベル
２６；  目印
２７；  底蓋
２８；  把手
３１；  コントロール体
３８；  制御記録部
４０；  センサー
４１；  入力ボタン
４２；  表示部
４４；  警報器
４５；  通信用インターフェース
４６；  メモリーチップ挿入口
４７；  通信用インターフェース挿入口
４８；  メモリーチップ
４９；  マイクロチップ
【図１】
0004501303.tif 000002
【図２】
0004501303.tif 000003
【図３】
0004501303.tif 000004
【図４】
0004501303.tif 000005
【図５】
0004501303.tif 000006
【図６】
0004501303.tif 000007
【図７】
0004501303.tif 000008